(57)【特許請求の範囲】
【請求項１】
筐体内に回転自在に配置され、前面又は後面が開口する横軸型のドラムと、このドラムを回転駆動する駆動装置と、前記ドラムの回転によって中の衣類を撹拌するようドラム内に設けられた撹拌部材と、前記ドラムの開口側を覆うと共にこのドラムの開口縁を回転自在に支持するドラム支持板と、前記ドラム支持板に設けられ、前記ドラムの下部に位置する乾燥風の吹出口と、ヒータで加熱した乾燥風を前記吹出口を介して前記ドラム内へ送る送風装置と、前記ドラム支持板における前記吹出口より前記ドラムの回転方向の上手側に設けられ、前記ドラムの下部に位置する温度検知器とを備え、
前記ドラム支持板を金属製とすると共に、前記温度検知器を前記ドラムに対して外側に取り付けて、前記ドラム支持板の温度を検知することにより前記ドラム内の温度を検知するようにしたことを特徴とする衣類乾燥機。
【請求項２】
筐体内に回転自在に配置され、前面が開口する横軸型のドラムと、このドラムを回転駆動する駆動装置と、前記ドラムの回転によって中の衣類を撹拌するようドラム内に設けられた撹拌部材と、前記ドラムの開口側を覆うと共にこのドラムの開口縁を回転自在に支持する金属製のドラム支持板と、前記ドラム支持板に設けられた乾燥風の吹出口と、ヒータで加熱した乾燥風を前記吹出口を介して前記ドラム内へ送る送風装置と、前記ドラム支持板の前記ドラムに対して外側に配置され、前記ドラム支持板の温度を検知することにより前記ドラム内の温度を検知する温度検知器とを備えた衣類乾燥機であって、
前記温度検知器の配置位置の前方の筐体に樹脂製の操作パネルの配置部を設け、前記操作パネルの裏側には前記配置位置に向かうボスを一体形成してこのボスに前記温度検知器を固定するようにし、更に、前記温度検知器の感熱部又は前記ドラム支持板には緩衝材を張り付け、前記操作パネルを前記配置部に取り付けたときに、前記温度検知器が前記配置位置に配置され、且つこのとき前記感熱部が前記緩衝材を介して前記ドラム支持板に接触するようにしたことを特徴とする衣類乾燥機。
【請求項３】
前記緩衝材を絶縁体とした請求項２に記載の衣類乾燥機。
【発明の詳細な説明】
【０００１】
【発明の属する技術分野】
本発明は、ドラム式の衣類乾燥機に関する。
【０００２】
【従来の技術】
この種の衣類乾燥機では、横軸型のドラム内に衣類を収納し、ドラムを回転させて衣類を撹拌しながら、ドラム内に熱風を送り、これによって衣類を乾燥するようにしている。
【０００３】
そして、このような衣類乾燥機では、熱風によってドラム内が高温になり過ぎて衣類や機器の構成部材などを傷めないように、ドラム内の温度をサーモスタットなどの温度検知器によって検知し、所定の上限温度になるとヒータをＯＦＦするよう構成していた。
【０００４】
温度検知器は、回転するドラムには直接設置するのが困難なため、従来、ドラムの排気口につながるダクト内であって排気口から出た直後の位置に設けられていた。
【０００５】
しかしながら、このような構成のものにあっては、ドラムの排気口に設けられているリントフィルタが目づまりを起こすと、乾燥風の循環が悪くなって実際のドラム内の温度より検知温度がかなり低くなる虞があり、即ち正確なドラム内の温度検知ができないという虞があった。
【０００６】
一方、リントフィルタの目づまりの影響を受けないように、ドラムの前面の開口縁を回転自在に支持し、自身は回転することのないドラム支持板に温度検知器を設けるようにしたものがあり、このような衣類乾燥機が、特開平７−２２２８９８号（Ｄ０６Ｆ５８／０２）公報に示されている。
【０００７】
この衣類乾燥機では、ドラム支持板におけるドラムの下部位置に乾燥風の吹出口を設けており、この吹出口の外周側であって、吹出口のすぐ横の位置に温度検知器を設けている。
【０００８】
また、温度検知器はドラム支持板に開けられた取付穴からその感熱部がドラム内に臨むように取り付けられている。
【０００９】
【発明が解決しようとする課題】
ところで、吹出口からドラム内に吹き出した乾燥風は、ドラムが回転していることにより、回転方向に流れながらドラム内を巡りやがて後部の排出口から排出される。
【００１０】
しかしながら、上記特開平７−２２２８９８号公報に示された衣類乾燥機にあっては、温度検知器が吹出口のすぐ横の位置であって、ドラム内に吹き出した乾燥風がすぐに当る位置に設けられているため、吹き出した直後の乾燥風の影響でドラム内の温度より高い温度を検知してしまうという虞があり、やはり正確なドラム内の温度検知ができないという問題があった。
【００１１】
また、温度検知器がドラム内に飛び出しているので、乾燥中の衣類が引っ掛かり、衣類を傷める虞があった。また、強固に取り付けないと温度検知器自体が衝撃で外れてしまう虞もあった。
【００１２】
本発明は、衣類乾燥機の改良に関し、このような問題点を解決するものであり、ドラム内の温度を正確に検知することができるようにすると共に、温度検知器により衣類が傷んだり、温度検知器自身が容易に外れてしまうことがないようにすることを目的とする。
【００１３】
【課題を解決するための手段】
本発明の請求項１に係わる衣類乾燥機は、筐体内に回転自在に配置され、前面又は後面が開口する横軸型のドラムと、このドラムを回転駆動する駆動装置と、前記ドラムの回転によって中の衣類を撹拌するようドラム内に設けられた撹拌部材と、前記ドラムの開口側を覆うと共にこのドラムの開口縁を回転自在に支持するドラム支持板と、前記ドラム支持板に設けられ、前記ドラムの下部に位置する乾燥風の吹出口と、ヒータで加熱した乾燥風を前記吹出口を介して前記ドラム内へ送る送風装置と、前記ドラム支持板における前記吹出口より前記ドラムの回転方向の上手側に設けられ、前記ドラムの下部に位置する温度検知器とを備え、
前記ドラム支持板を金属製とすると共に、前記温度検知器を前記ドラムに対して外側に取り付けて、前記ドラム支持板の温度を検知することにより前記ドラム内の温度を検知するようにしたことを特徴とするものである。
【００１４】
上記構成では、撹拌された衣類が落ち、その衣類が次に撹拌されるまで留っている位置、即ち乾燥運転中に衣類が長く存在する位置であるドラムの下部に温度検知器を設けているので、衣類を保護するための適切な温度検知ができる。しかも、温度検知器を吹出口よりドラムの回転方向の上手側に設けているので、吹出口から出た乾燥風に影響されることもない。
【００１６】
上記構成では、温度検知器がドラム内に張り出さないので、衣類が温度検知器にぶつかることにより、衣類が傷んだり、温度検知器が外れてしまったりすることがなくなる。しかも、ドラム支持板を金属製として熱伝導性を良くしているので、できるだけドラム内の温度に近い温度を検知することができる。
【００１７】
本発明の請求項２に係わる衣類乾燥機は、筐体内に回転自在に配置され、前面が開口する横軸型のドラムと、このドラムを回転駆動する駆動装置と、前記ドラムの回転によって中の衣類を撹拌するようドラム内に設けられた撹拌部材と、前記ドラムの開口側を覆うと共にこのドラムの開口縁を回転自在に支持する金属製のドラム支持板と、前記ドラム支持板に設けられた乾燥風の吹出口と、ヒータで加熱した乾燥風を前記吹出口を介して前記ドラム内へ送る送風装置と、前記ドラム支持板の前記ドラムに対して外側に配置され、前記ドラム支持板の温度を検知することにより前記ドラム内の温度を検知する温度検知器とを備えた衣類乾燥機であって、前記温度検知器の配置位置の前方の筐体に樹脂製の操作パネルの配置部を設け、前記操作パネルの裏側には前記配置位置に向かうボスを一体形成してこのボスに前記温度検知器を固定するようにし、更に、前記温度検知器の感熱部又は前記ドラム支持板には緩衝材を張り付け、前記操作パネルを前記配置部に取り付けたときに、前記温度検知器が前記配置位置に配置され、且つこのとき前記感熱部が前記緩衝材を介して前記ドラム支持板に接触するようにしたものである。
【００１８】
上記構成では、樹脂製の操作パネルの裏側に一体形成したボスに温度検知器を固定して、操作パネルを筐体に取り付けることにより、温度検知器をドラム支持板の外側に設置するようにしているので、別の固定部材を用意して、温度検知器をドラム支持板に取り付ける必要がなく、温度検知器を簡単に設置できる。
【００１９】
機器本体を組み立てる際には、筐体内にドラム支持板を取り付け、次に筐体前面に操作パネルを取り付けるが、この操作パネルを取り付ける作業の際に温度検知器の感熱部がドラム支持板にぶつかってしまう虞がある。ここでは温度検知器の感熱部もしくはドラム支持板に緩衝材を張り付けているので、温度検知器の感熱部がドラム支持板にぶつかってもその衝撃を吸収することができ、感熱部の破損を防止することができる。また、この緩衝材により、寸法誤差でドラム支持板の位置が多少前後にずれても、緩衝材の伸縮範囲内であれば、感熱部をドラム支持板に緩衝材を介して確実に接触させることができる。
【００２０】
なお、緩衝材は、所望の温度検知ができる程度に熱伝導性の良いものとする。
本発明の請求項３に係わる衣類乾燥機は、請求項２の構成のものにおいて、前記緩衝材を絶縁体としたものである。
【００２１】
上記構成では、緩衝材を絶縁部材で構成しているので、ドラム内で発生してドラム支持板を伝わってきた静電気が温度検知器や温度検知器を通じて制御回路内に伝わるのを防止できる。
【００２２】
【発明の実施の形態】
本発明の実施の形態を各図面に基づいて説明する。
【００２３】
図１〜図４において、１は本実施形態の衣類乾燥機である。２はその筐体で、前後面が開口する金属製の機枠３と、この機枠３の前面を覆う金属製の前面板４と、機枠３の後面を覆う金属製の後面板５とからなる。前記前面板４には衣類の投入口６が設けられている。
【００２４】
７は前記筐体２内に設けられた前面開口状の横軸型ドラムで、後方を支軸８により回転可能に軸支されている。このドラム７内には、ドラム７が回転することにより中の衣類を撹拌する、本発明の撹拌部材であるバッフル７ａが設けられている。また、このドラム７の後面中央には排気口９が設けられており、この排気口９には、糸屑などを回収するためのリントフィルタ１０が配置されている。１１は前記前面板４の裏側であって前記投入口６の外側に設けられ、前記ドラム７の前面開口縁を支持する金属製のドラム支持板である。このドラム支持板１１は端部を機枠３に取り付けている。
【００２５】
１２は前記ドラム支持板１１において、前記ドラムの下部、更に詳しくは前記ドラム７の最下部より正面から見て左にやや上がったところに位置するように設けられた乾燥風の吹出口である。１３はこの吹出口１２に取り付けられた乾燥風の導入ダクトであり、このダクト内には、ヒータ１４が配置されている。
【００２６】
１５は前記投入口６を開閉するための扉で、衣類乾燥機１本体を正面から見て左側の上下両端部が回転自在に支持されており、左側に開くようになっている。
【００２７】
３６は後面が開口する横長の箱形状をした樹脂製の操作パネルであり、前記前面板４の前記扉１５の下方位置に形成した配置部３７に配置されており、衣類乾燥機１の操作部及び制御部を備えている。
【００２８】
１６は前記ドラム７の後方であって、前記排気口９に対向して設けられたファンケーシングである。１７は前記ファンケーシング１６内において、前記支軸８により前記ドラム７と同軸に固定された熱交換型の両面ファンである。この両面ファン１７の表裏両面には放射状に羽根が一体形成されており、前記ドラム７側を循環ファン面１８、前記後面板５側を冷却ファン面１９としている。この両面ファン１７は本発明の送風装置となる。
【００２９】
２０は前記両面ファン１７の外周を囲むように前記ファンケーシング１６と一体的に設けられた仕切板で、その内周部を両面ファン１７の外周部に対向させている。この仕切板２０は、前記両面ファン１７と共に、前記ファンケーシング１６内を乾燥風路２１と冷却風路２２とに区画している。
【００３０】
２３は前記排気口９と前記乾燥風路２１とを連通するために前記ファンケーシング１６に設けられた連通口、２４は排気口９から出た乾燥風を確実にこの連通口２３へと導くために設けられた環状のシール部材である。
【００３１】
２５は前記冷却風路２２内へ外気を導入するために前記後面板５の中央に設けられた導入口、２６は導入した外気を導出するために前記機枠３の底面に設けられた導出口である。
【００３２】
２７は前記乾燥風路２１と前記導入ダクト１３とを連結する循環ダクトで、最下部の位置に排出口２８が設けられている。
【００３３】
２９は本発明の駆動装置となるモータであり、ドラムプーリ３０及びドラムベルト３１を介して前記ドラム７に連結されると共に、ファンプーリ３２及びファンベルト３３を介して前記両面ファン１７のプーリ３４に連結されている。３５はアイドラプーリであり、前記ドラムベルト３１に張力を与えることにより、ドラムベルト３１のスリップを防止するものである。
【００３４】
こうして、加熱乾燥時には、前記モータ２９が回転することにより、前記ドラム７が低速で、前記両面ファン１７が高速で、それぞれ回転する。両面ファン１７の回転により発生し、ヒータ１４によって加熱された乾燥風は、前記乾燥風路２１、循環ダクト２７、導入ダクト１３、ドラム７を通って循環し、ドラム７内の衣類と熱交換を行う。同時に、両面ファン１７の回転により外気が冷却風路２２内に導入され、両面ファン１７自身を冷却する。そして、前記ドラム７内で熱交換して、衣類から水分を吸収した乾燥風が両面ファン１７に接触して冷却され、乾燥風中の水分が凝縮する。この凝縮水は、乾燥風路２１内を流れ下り、前記排出口２８から排出される。
【００３５】
なお、前記両面ファン１７と前記仕切板２０との間は、非接触式であってシール効果の良好なラビリンス結合によりシールしており、両面ファン１７と仕切板２０との間から乾燥風や凝縮水が漏れるのを防止している。
【００３６】
さて、３８は前記ドラム支持板１１において、前記ドラム７の最下部に位置するように設けられた、本願の温度検知器となるサーモスタットである。即ち、このサーモスタット３８は、前記吹出口１２より前記ドラム７の回転方向の上手側に設けられている。このサーモスタット３８は、所定温度（例えば７０℃）を検知するまでは接点が閉じており、所定温度を越えたと検知すると接点が開くような構造となっている。
【００３７】
前記サーモスタット３８は、図５に詳述するように、前記操作パネル３６の裏側に一体形成された２つのボス３９、３９に跨ってネジ４０、４０により固定されている。前記操作パネル３６には、前記サーモスタット３８のほか、タイマー４１が設けられており、このタイマー４１を動作させるために操作する摘み（図示しない）が操作パネル３６の前面に設けられている。前記サーモスタット３８の感熱部３８ａの表面には、緩衝材４２が張り付けられる。この緩衝材４２は、厚さ１ミリ、硬度６０〜８０のシリコンの薄板であり、弾性を有し、且つ絶縁性を有する。なお、緩衝材４２は、サーモスタット３８側ではなく、ドラム支持板１１の対応する場所に張り付けてもよい。但し、サーモスタット３８の取付位置のずれなどを考えると、サーモスタット３８側に張り付けるのが好ましい。
【００３８】
そして、前記操作パネル３６を前記前面板４の下部に設けた前記配置部３７に取り付けたときに、前記サーモスタット３８が前記ドラム支持板１１の外側位置に配置され、このとき前記感熱部３８ａは、図６に示すように、緩衝材４２を介して前記ドラム支持板１１に接触する。こうして、前記サーモスタット３８は、前記ドラム支持板１１の温度を前記緩衝材４２を介して検知することにより、前記ドラム７内の温度を検知する。
【００３９】
なお、前記緩衝材４２は、所望の温度検知ができる程度に熱伝導性のあるものとしており、その厚さも、緩衝性と熱伝導性を考慮した厚みとしている。
【００４０】
図７は本実施形態の衣類乾燥機１の制御機構を示す。前記ヒータ１４は、出力の大きな第１ヒータ１４ａと出力の小さな第２ヒータ１４ｂとからなる。これら第１ヒータ１４ａ、第２ヒータ１４ｂ及び前記モータ２９は、前記タイマー４１を介して商用電源４３に接続されており、タイマー４１が動作すると、タイマー４１の接点４１ａが閉じて前記第１ヒータ１４ａ、第２ヒータ１４ｂ及びモータ２９がＯＮする。また、これら第１ヒータ１４ａ、第２ヒータ１４ｂ及びモータ２９と商用電源４３との間にはドアスイッチ４４が設けられており、乾燥運転中に前記扉１５が開くと接点が開いて、第１ヒータ１４ａ、第２ヒータ１４ｂ及びモータ２９がＯＦＦする。
【００４１】
前記サーモスタット３８は、前記第１ヒータ１４ａと前記タイマー４１との間に接続されている。そして、乾燥運転時、ドラム７内の温度が上昇し、このサーモスタット３８が所定温度を検知すると、サーモスタット３８がＯＦＦして第１ヒータ１４ａがＯＦＦする。これにより、ドラム７内の温度が低下し、所定温度−数℃（例えば５５℃）になると、サーモスタット３８がＯＮして再び第１ヒータ１４ａがＯＮする。こうして、ドラム７内の温度は所定温度近くに保たれ、ドラム７内が異常な高温になるのが防止されるのである。
【００４２】
以上、本実施形態の衣類乾燥機では、撹拌された衣類が落ち、その衣類が次に撹拌されるまで留っている位置、即ち乾燥運転中に衣類が長く存在する位置であるドラムの下部にサーモスタットを設けているので、衣類を保護するための適切な温度検知ができる。しかも、温度検知器を吹出口よりドラムの回転方向の上手側に設けているので、吹出口から出た乾燥風に影響されることもない。
【００４３】
したがって、精度の高い温度検知が行え、ドラム内の異常な温度上昇を確実に防止することができる。
【００４４】
また、サーモスタットがドラム内に張り出さないので、衣類がサーモスタットにぶつかることにより、衣類が傷んだり、サーモスタットが外れてしまったりすることがなくなる。しかも、ドラム支持板を金属製として熱伝導性を良くしているので、できるだけドラム内の温度に近い温度を検知することができる。
【００４５】
さらに、樹脂製の操作パネルの裏側に一体形成したボスにサーモスタットを固定して、操作パネルを筐体に取り付けることにより、サーモスタットをドラム支持板の外側に設置するようにしているので、別の固定部材を用意して、サーモスタットをドラム支持板に取り付ける必要がなく、サーモスタットが簡単に設置できる。
【００４６】
さらに、機器本体の前側を組み立てる際には、ドラム支持板を機枠に取り付け、次に前面板でドラム支持板を覆うように前面板を取り付け、最後に前面板に操作パネルを取り付けるが、この操作パネルを取り付ける作業の際にサーモスタットの感熱部がドラム支持板にぶつかってしまう虞がある。しかし、ここではサーモスタットの感熱部もしくはドラム支持板に緩衝材を張り付けているので、サーモスタットの感熱部がドラム支持板にぶつかってもその衝撃を吸収することができ、感熱部の破損を防止することができる。また、この緩衝材により、寸法誤差でドラム支持板の位置が多少前後にずれても、緩衝材の伸縮範囲内であれば、感熱部をドラム支持板に緩衝材を介して確実に接触させることができ、ドラム内の温度を確実に検知できる。
【００４７】
さらに、緩衝材は絶縁体であるので、ドラム内で発生してドラム支持板を伝わってきた静電気が温度検知器や温度検知器を通じて制御回路内に伝わるのを防止でき、静電気が制御機構に悪影響を及ぼすのを防止できる。
【００４８】
なお、本実施形態では、ドラム前面に開口を設け、この開口をドラム支持板により回転自在に支持するようにしているが、ドラムの後面に開口を設け、この開口をドラム支持板により回転自在に支持するようにしてもよい。
【００４９】
【発明の効果】
本発明の請求項１に係わる衣類乾燥機の構成によれば、乾燥運転中に衣類が長く存在する位置であるドラムの下部に温度検知器を設けているので、衣類を保護するための適切な温度検知ができる。しかも、温度検知器を吹出口よりドラムの回転方向の上手側に設けているので、吹出口から出た乾燥風に影響されることもない。
【００５０】
したがって、精度の高い温度検知が行え、ドラム内の異常な温度上昇を確実に防止することができる。
【００５１】
本発明の請求項２に係わる衣類乾燥機の構成によれば、温度検知器がドラム内に張り出さないので、衣類が温度検知器にぶつかることにより、衣類が傷んだり、温度検知器が外れてしまったりすることがなくなる。しかも、ドラム支持板を金属製として熱伝導性を良くしているので、できるだけドラム内の温度に近い温度を検知することができる。
【００５２】
本発明の請求項３に係わる衣類乾燥機の構成によれば、樹脂製の操作パネルの裏側に一体形成したボスに温度検知器を固定して、操作パネルを筐体に取り付けることにより、温度検知器をドラム支持板の外側に設置するようにしているので、別の固定部材を用意して、温度検知器をドラム支持板に取り付ける必要がなく、温度検知器を簡単に設置できる。
【００５３】
その上、温度検知器の感熱部もしくはドラム支持板に緩衝材を張り付けているので、操作パネルの取り付けの際、温度検知器の感熱部がドラム支持板にぶつかってもその衝撃を吸収することができ、感熱部の破損を防止することができる。また、この緩衝材により、寸法誤差でドラム支持板の位置が多少前後にずれても、緩衝材の伸縮範囲内であれば、感熱部をドラム支持板に緩衝材を介して確実に接触させることができ、ドラム内の温度を確実に検知できる。
【００５４】
本発明の請求項４に係わる衣類乾燥機の構成によれば、緩衝材を絶縁部材で構成しているので、ドラム内で発生してドラム支持板を伝わってきた静電気が温度検知器や温度検知器を通じて制御回路内に伝わるのを防止でき、静電気が制御機構に悪影響を及ぼすのを防止できる。
【図面の簡単な説明】
【図１】本発明の一実施形態の衣類乾燥機の正面図である。
【図２】図１のＡ−Ａ断面図である。
【図３】本発明の一実施形態の衣類乾燥機の前面板を外した正面図である。
【図４】図１のＢ−Ｂ断面図である。
【図５】本発明の一実施形態の衣類乾燥機の操作パネルの背面斜視図である。
【図６】図４のＡ部拡大図である。
【図７】本発明の一実施形態の衣類乾燥機の制御回路図である。
【符号の説明】
２  筐体
７  ドラム
７ａ  バッフル（撹拌部材）
１１  ドラム支持板
１２  吹出口
１４  ヒータ
１７  両面ファン（送風装置）
２９  モータ（駆動装置）
３６  操作パネル
３７  配置部
３８  サーモスタット（温度検知器）
３８ａ  感熱部
３９  ボス
４２  緩衝材
【図１】
0003710885.tif 000002
【図２】
0003710885.tif 000003
【図３】
0003710885.tif 000004
【図４】
0003710885.tif 000005
【図５】
0003710885.tif 000006
【図６】
0003710885.tif 000007
【図７】
0003710885.tif 000008